(57)【要約】  【解決手段】電気端子の受入れ領域を有する電気コネクタハウジングと、この電気コネクタハウジングに移動可能に設置された端子位置保証（ＴＰＡ）部材とを有する電気コネクタハウジング組立体である。このＴＰＡ部材は、そのＴＰＡ部材の外側のサイドラッチによって、プレロック位置における前記電気コネクタハウジングにラッチされる。このサイドラッチは、そのプレロック位置から前記ＴＰＡ部材をラッチ解除するために内方方向に撓むようにされる区域を有する。【選択図】図４
2009531829.tif 000002
【特許請求の範囲】
【請求項１】
電気端子受入れ領域を有する電気コネクタハウジングと、この電気コネクタハウジングに移動可能に設置された端子位置保証（ＴＰＡ）部材であって、このＴＰＡ部材は、ＴＰＡ部材の外側のサイドラッチによってプレロック位置における電気コネクタハウジングにラッチされ、かつ前記サイドラッチは、プレロック位置からのＴＰＡ部材をラッチ解除するために内方方向に撓むようにされた区域を有するものとを具備する電気コネクタハウジング組立体。
【請求項２】
前記外側のサイドラッチは、それぞれ、前記ハウジングの支点において軸支するようにされたラッチレバーを有する請求項１記載の電気コネクタハウジング組立体。
【請求項３】
前記各ラッチレバーは、前記ＴＰＡ部材の前端から後方に延びる２つの外部のスロットと、前記ＴＰＡ部材の後端から前方に延びる２つの外部のスロット間に配置された２つの内部のスロットとによって形成される請求項２記載の電気コネクタハウジング組立体。
【請求項４】
前記内方方向に撓むようにされた区域は、前記ラッチレバーの前端を有する請求項２記載の電気コネクタハウジング組立体。
【請求項５】
前記ハウジングは、各外側のサイドラッチで支点を有し、この各サイドラッチは、そのサイドラッチの区域が、前記プレロック位置から前記ＴＰＡ部材をラッチ解除するために、内方方向に撓むときに、その支点において軸支されるようにされ、かつ、前記ＴＰＡ部材は、そのＴＰＡ部材が前記ロック位置にあるときに、その区域が内方方向に撓むことを防止するために、前記サイドラッチの区域に配置された支点によってロック位置に移動するようにされる、請求項１記載の電気コネクタハウジング組立体。
【請求項６】
前記ＴＰＡ部材がそのロック位置からプレロック位置に移動されるときに、前記外側のサイドラッチは、内方方向における前記ＴＰＡ部材の区域を当初は撓むことなしに、撓むようにされる請求項５記載の電気コネクタハウジング組立体。
【請求項７】
前記請求項１における電気コネクタハウジング組立体と、前記電気端子受入れ領域内に設置された電気接点とを有する電気コネクタ。  
【請求項８】
電気端子の受入れ領域を有する電気コネクタハウジングと、電気コネクタハウジングに移動可能に設置された端子位置保証（ＴＰＡ）部材であって、このＴＰＡ部材は、プレロック位置でＴＰＡ部材を保持するためのラッチレバーを有し、このラッチレバーは、使用者によって移動するようにされた第１の端と、前記電気コネクタハウジングの支点における中間区域と、前記電気コネクタハウジングとラッチされる第２の端であって、そのラッチレバーは、使用者によるラッチを解除した位置に前記電気コネクタハウジングの支点において回転されるまで、前記電気コネクタハウジングにおけるプレロック位置に前記ＴＰＡ部材を保持するもの、とを有する電気コネクタハウジング組立体。
【請求項９】
前記ＴＰＡ部材が、そのＴＰＡ部材の対向する外側の側部に位置されるラッチレバーのうちの２つを有する請求項８記載の電気コネクタハウジング組立体。
【請求項１０】
前記ラッチレバーは、前記ＴＰＡ部材の前端から後方に延びる２つの外部のスロットと、前記ＴＰＡ部材の後端から前方に延びる２つの外部のスロット間に位置する２つの内部のスロットとによって形成される請求項８記載の電気コネクタハウジング組立体。
【請求項１１】
前記ＴＰＡ部材がロック位置に移動されるときに、前記外側のサイドラッチの第１の端は、前記電気コネクタハウジングの支点に位置して、前記ＴＰＡ部材がロック位置であるときに、第１の端が使用者によって内方に撓められるのを実質的に防止する請求項８記載の電気コネクタハウジング組立体。
【請求項１２】
前記電気コネクタハウジングは、前記支点から後方に位置する第１のラッチポケットと、この第１のラッチポケットから後方に位置する第２のラッチポケットと、前記第１と第２のラッチポケット間のランプ表面とを有する請求項８記載の電気コネクタハウジング組立体。
【請求項１３】
請求項８記載の電気コネクタハウジング組立体と、前記電気端子受入れ領域に設置された電気接点とを有する電気コネクタ。
【請求項１４】
電気コネクタハウジングの少なくとも１つの撓み可能な端子のラッチと係合して端子ラッチが撓むことを防止するようにした少なくとも１つの突出部と、電気コネクタハウジングにおけるプレロック位置でＴＰＡ部材を保持するための少なくとも１つのラッチレバーであって、このラッチレバーは、２つの後方に延びる外部のスロットおよび２つの前方に延びる内部のスロットによって    形成されるもの、とを有する端子位置保証（ＴＰＡ）部材。
【請求項１５】
前記内部のスロットは、前記ＴＰＡ部材の後端から前方に延び、かつ、前記外部のスロットは、ＴＰＡ部材の前端から後方に延び、さらに、前記内部のスロットは、前記外部のスロット間に位置する請求項１４記載の端子位置保証（ＴＰＡ）部材。
【請求項１６】
前記ラッチレバーは、使用者によって内方に撓まれるようにされた第１の端と、前記電気コネクタハウジングの支点において位置されるようにされた中間区域と、前記電気コネクタハウジングとラッチするようにされた第２の端とを有し、前記ラッチレバーは、使用者によってラッチ解除された位置に対して前記電気コネクタハウジングの支点において軸支されるまで、前記電気コネクタハウジングにおけるプレロック位置に前記ＴＰＡ部材を保持するようにされる請求項１４記載の端子位置保証（ＴＰＡ）部材。
【請求項１７】
電気コネクタのハウジングにおけるプレロック位置でＴＰＡ部材をラッチすることと、前記ＴＰＡ部材の外側のサイドラッチの部分を内方に押圧することと、前記ＴＰＡ部材を前記プレロック位置からＴＰＡロック位置に移動することと、前記ＴＰＡ部材がＴＰＡロック位置にある間、前記外側のサイドラッチの部分が内方に撓むのを防止するために、前記外側のサイドラッチの部分の内側側面に前記ハウジングの部分を位置することと、を有する電気コネクタの端子位置保証（ＴＰＡ）部材を移動する方法。
【請求項１８】
前記外側のサイドラッチの部分は、前記外側のサイドラッチの前方部分を有しており、前記ＴＰＡ部材の外側のサイドラッチの部分を内方に押圧することは、前記外側のサイドラッチの前方の部分を内方に押圧することによって、前記ハウジングの支点において外側のサイドラッチを回転することを有する請求項１７記載の方法。
【請求項１９】
前記ハウジングの支点における外側のサイドラッチを回転することは、反対の外方方向に前記外側のサイドラッチの後方部分を移動することを有する請求項１８記載の方法。
【請求項２０】
前記外側のサイドラッチの前方の部分を内方に実質的に移動することなしに、前記ハウジングにおいて前記ＴＰＡ部材を前方に移動することによって、前記ＴＰＡロック位置からプレロック位置に前記ＴＰＡ部材を移動することをさらに有する請求項１８記載の方法。
【発明の詳細な説明】
【技術分野】
【０００１】
この発明は、電気コネクタに係り、より特別には電気コネクタにおける端子位置保証に関する。
【背景技術】
【０００２】
米国特許６，０４５，４０４号は、引用によってその全体をここに組み入れられており、電気コネクタにおいて使用される端子位置保証（ＴＰＡ）部材を開示している。電気コネクタは、ますます小形化してきている。ＴＰＡの特徴を有するが、そのコネクタの寸法を著しく増加させることがない電気コネクタを提供する要望がある。ボックス内の容積の中に組み込んだめす形ハーネスコネクタは、プレロック位置から最終ロック位置内にそのＴＰＡ（端子位置保証）部品が衝突させる恐れを有する。この状況は、話題にあがっていないならば、顧客不便や顧客不満足に対して先行することができる。その他の可能な解決法は、電池パッケージングのように、全面的な製品原価において重大な負の影響を有する。
【０００３】
意図される前に、プレロック位置からロック位置にＴＰＡの特徴の不注意な移動を防止するようにされる電気コネクタにおけるＴＰＡの特徴を提供する要望がある。この電気コネクタの寸法を増加させることなく、この特徴を提供する要望がさらにある。
【発明の開示】
【０００４】
この発明の１態様にしたがって、電気コネクタハウジング組立体は、電気端子の受入れ領域を有する電気コネクタハウジングと、この電気コネクタハウジングに移動可能に設置された端子位置保証（ＴＰＡ）部材とを具備して提供される。ＴＰＡ部材は、このＴＰＡ部材の外側のサイドラッチ（lateral side latches）によって、プレロック位置における電気コネクタハウジングにラッチされる。このサイドラッチは、このＴＰＡ部材をプレロック位置からラッチ解除する（unlatch）するために内方方向に撓むようにされた区域を有する。
【０００５】
この発明の他の態様にしたがって、電気コネクタハウジング組立体は、電気端子の受入れ領域を有する電気コネクタハウジングと、この電気コネクタハウジングに移動可能に設置された端子位置保証（ＴＰＡ）部材とを有して提供される。このＴＰＡ部材は、プレロック位置でＴＰＡ部材を保持するためのラッチレバーを有し、このラッチレバーは、使用者によって移動されるようにされた第１端と、電気コネクタハウジングの支点における中間区域と、電気コネクタハウジングとラッチされた第２端とを有する。支点が、使用者によって、ラッチを解除する位置に対して電気コネクタハウジングの支点において支承されるまで、ラッチレバーは、ＴＰＡ部材を、電気コネクタハウジングにおけるプレロック位置に保持する。
【０００６】
この発明の他の態様にしたがって、端子位置保証（ＴＰＡ）部材は、端子のラッチが撓むのを防止するために電気コネクタハウジングの少なくとも１つの撓み可能な端子ラッチと係合するようにされた少なくとも１つの突出部と、電気コネクタハウジングにおけるプレロック位置でＴＰＡ部材を保持するための少なくとも１つのラッチレバーとを有して提供される。このラッチレバーは、２つの後方に延びる外部のスロットと、２つの前方に延びる内部のスロットとによって形成される。
【０００７】
この発明の１方法にしたがって、電気コネクタの端子位置保証（ＴＰＡ）部材を移動する方法は、電気コネクタのハウジングにおけるプレロック位置でＴＰＡ部材をラッチすることと、ＴＰＡ部材の外側のサイドラッチの部分を内方に押圧することと、ＴＰＡ部材をプレロック位置からＴＰＡロック位置に移動することと、ＴＰＡ部材がそのＴＰＡロック位置にある間、外側のサイドラッチの部分が内方に撓むことを防止するためにハウジングの部分を外側のサイドラッチの部分の内部側に位置することと、を有して提供される。
【０００８】
この発明の先の態様および他の特徴は、以下につづく記述において説明され、添付の図面に関して得られる。
【発明を実施するための最良の形態】
【０００９】
図１を参照して、電気導体の２つのグループ１２、１４を相互に電気的に接続するための、従来の電気接続装置１０の分解した斜視図が示されている。この電気接続装置１０は、電気導体１３の第１グループ１２に接続された第１の電気コネクタ１６と、電気導体の第２グループに接続された第２の電気コネクタ１８とを有する。この第１の電気コネクタ１６は、ハウジング２０と、このハウジング２０の内部に位置した電気接点２２とを有する。ハウジング２０は、第２の電気コネクタ１８のおす形接点２６を受入れるための、その前面における受入れ領域２４を有する。ハウジング２０は、さらに、第２の電気コネクタ１８のハウジング３０の前端を受入れるための受入れ領域２８を有する。この受入れ領域２８は、第２の電気コネクタ１８の極性を有するリブ３４を受入れるためのスロット３２を有する。ハウジング２０は、さらに、受入れ領域２８内に延びるラッチ３６を有する。このラッチ３６は、第２の電気コネクタ１８のハウジング３０のラッチ突出部３８とスナップロックラッチするようにされている。
【００１０】
図２−４を参照して、この発明の特徴を具体化する電気コネクタ４０が示されている。この発明は、図面において示される代表的な実施例に関して記述されるが、この発明が、実施例の多くの代りの形状で具体化することができることを理解できるに違いない。さらに、部品または材料のあらゆる適切な寸法、形状、またはタイプを使用することができる。
【００１１】
電気コネクタ４０は、置き換えるか、または第１の電気コネクタ１６の代わりに、使用されるように意図される。特に、電気コネクタ４０は、電気導体の第１グループ１２に接続され、かつ第２の電気コネクタ１８に移動可能に接続されるようにされている。電気コネクタ４０は、ハウジング４２および電気接点４４を有する。電気接点４４は、単に明瞭さのためだけに、図３および４においては示されていない。電気接点４４は、電気導体の第１グループ１２における電気導体１３に接続される。電気接点４４は、第２の電気コネクタ１８のおす形接点２６を受入れるようにされためす形接点区域を有する。同様の電気端子が、それらの全体の引用によってここに組み入れられる米国特許６，２４７，９７５および６，０５６，６０４に開示されている。しかしながら、代りの実施例においては、あらゆる適切なタイプの電気端子を使用することができる。
【００１２】
ハウジング４２は、主ハウジング部材４６およびシール保持体４８を有する。シール保持体４８は、主ハウジング部材４６でシール保持体４８間のシール５０を捕捉するために、スナップロック接続によるように、主ハウジング部材４６の後端に確固として接続される。このシール５０は、電気導体１３を備えたシールを提供する。電気コネクタ４０は、さらに、主ハウジング部材４６の受入れ領域５４において第２の電気導体１８のハウジング３０と係合するようにされた第２のシール５２を有する。端子位置保証（ＴＰＡ）部材５３は、前面のシール５２のための前面のシール保持体を形成する。主ハウジング部材４６における前面のシール５２を保持し、かつＴＰＡ部材５３が、後方のロック位置に移動された後に、端子のラッチ５５が撓むのを防止するために、ＴＰＡ部材５３は、主ハウジング部材４６の前面に取付けられている。ＴＰＡ部材は、撓んだロックフィンガーの先端に当接することによって、部分的に取付けられた端子を検知するように設計されている。好ましくは、その端子がフィンガーによって適切にロックされるならば、ＴＰＡ部材は、単に最終ロック位置に装着することができるだけである。
【００１３】
主ハウジング部材４６は、接点受入れ領域５６を有する。電気接点または端子４４は、接点受入れ領域５６に位置する。主ハウジング部材４６の前端は、接点受入れ領域５６内に孔５８を有する。この孔５８は、接点受入れ領域５６内への、および電気接点４４との結合する電気接続内へのおす形接点２６の挿入ができるようにされている。電気導体１３は、シール保持体４８の孔６０を通って、さらには、それらが電気接点４４に接続される接点受入れ領域５６内に延びようにされている。後部シール５０は、電気導体１３が、主ハウジング部材４６の後端内に進む主ハウジング部材４６の後端で接点受入れ領域５６の後端をシールするようにされている。
【００１４】
さらに図５を参照して、主ハウジング部材４６は、結合する電気コネクタラッチ６０を有する。電気コネクタ４０が、第２の電気コネクタ１８に接続されるときに、ラッチ６０は、第２の電気コネクタ１８のラッチ突出部３８と移動可能にラッチするようにされている。米国特許公開２００５／０２１５１０６は、その全体における引用によってここに組み入れられるが、コネクタ４０内に使用されるラッチ６０およびコネクタ位置保証（ＣＰＡ）６２について記述している。しかしながら、代りの実施例においては、あらゆる適切な結合するコネクタラッチおよびＣＰＡ装置を提供することができる。
【００１５】
ハウジング４６は、受入れ領域５４によって囲まれた中央区域６４を形成する。この中央区域６４は、接点受入れ領域５６を画定する。この実施例において、接点受入れ領域５６は、２列に整列される。しかしながら、代りの実施例において、あらゆる適切な接点受入れ領域の配列をも提供することができる。さらに図６を参照して、中央区域６４の対向する外側側面は、それぞれ２つのデテント、またはラッチ受入れ領域６６、６８、および支点７０を有する。前面領域６６は、支点７０から後方に位置する。後部領域６８は、その前面領域６６から後方に位置する。ランプ７２は、前面および後部領域６６、６８の間に設けられる。
【００１６】
さらに図７−８を参照して、ＴＰＡ部材５３は、通常、成型プラスチックまたは高分子材料で作られる１ピース部材を有する。ＴＰＡ部材５３は、図２において見られるような前方位置と図１１において見られるような後方位置との間の主ハウジング部材４６において移動可能に設置される。ＴＰＡ部材５３は、前端７４と、突出部７６と、周辺区域７８とを有する。前端７４は、コネクタ１８のおす形接点が領域５６の内部にめす形接点を挿入することを可能にするために複数の接点穴８０を有している。突出部７６は、通常のカンチレバー方式で、前端７４の後部側面から後方に延びる。代りの実施例においては、１つを超える突出部７６を設けることができる。ＴＰＡ部材５３が、その後方位置に移動されるときに、突出部７６は、ラッチ５５が撓むことを防止するために、端子ラッチ５５と接触するようにされる。しかしながら、ＴＰＡ部材がその前方位置に位置するときは、端子ラッチ５５は、領域５６における端子４４の挿入または離脱ができるように、弾性的に内方に撓むことができる。
【００１７】
周辺区域７８は、ＴＰＡ部材５３の外側の側壁を形成する。各外側の側壁は、外側のサイドラッチ８２を有する。各ラッチ８２は、接続区域８６によって頂側および底側に接続されるラッチレバー８４を有する。ラッチレバー８４は、２つの後方に延びる外部（outer）のスロット８８と、２つの前方に延びる内部（inner）のスロット９０とによって形成される。内部のスロット９０は、ＴＰＡ部材の後端から前方に延びる。外部のスロット９０は、ＴＰＡ部材の前端から後方に延びる。内部のスロット８８は、外部のスロット９０の間に配置される。この配置によって、ラッチレバー８４は、通常のカンチレバー方式でＴＰＡ部材の前面から後方に延びるが、接続区域８６によってＴＰＡ部材の後部に接続される。代りの実施例において、外側のサイドラッチのあらゆる適切な形状または外形を提供することができる。さらに、代りの実施例において、ＴＰＡ部材は、多かれ少なかれ２つのラッチレバーを有し、さらにラッチは、ＴＰＡ部材の外側側面以外の１つまたはそれ以上の位置に配置される。
【００１８】
ラッチレバーは、それぞれ、前端９２と、後端９４と、中間区域９６とを有する。後端９４は、内部に突出するラッチ突出部９８を有している。ＴＰＡ部材５３がその前方の位置にあるときに、図６において示されるように、ラッチ突出部９８は、前面の領域６６に位置する。中間区域９６は、支点７０に位置する。前端９２は、支点７０から前方に間隔を置かれる。ＴＰＡ部材５３のこの前方の位置は、主ハウジング部材４６におけるＴＰＡ部材のためのプレロック位置を形成する。
【００１９】
使用者によって確実に移動されるまで、ＴＰＡ部材のプレロック位置決めは、主ハウジング部材４６におけるその前方位置にＴＰＡ部材を保持する。ラッチ突出部９８は、前面領域６６に位置することによってその前方位置におけるＴＰＡ部材５３を保持する。ラッチ突出部９８が領域６６から移動されるまで、ＴＰＡ部材５３は、後方に移動されることができない。領域６６からラッチ突出部９８を移動するために、図９における矢印１００によって示されるように、使用者は、ラッチレバー８４の前端９２を内方に押圧する。前端９２の内方への移動は、レバーの後端９４を外方に撓ませる。このことは、支点７０を備えた中間区域９６による接触のためである。このレバーは、支点７０に支承している。接続区域８６は、弾性的に変形して、ＴＰＡ部材の静止に関してラッチレバーが回転することを可能にする。後端９４が外方方向に移動されるときに、突出部９８は、前面領域６６から移動される。その後、矢印１０２によって示されるように、使用者は、ＴＰＡ部材５３の前端７４に対して押圧して、ＴＰＡ部材５３を後方に摺動することができる。
【００２０】
ＴＰＡ部材５３が後方に摺動されるにつれて、突出部７６は、  端子ラッチ５５と接触して、ラッチ５５が撓むのを防止し、さらにそれによって、端子４４が受入れ領域５６から不注意に引かれるのを防止する。さらに図１０を参照して、ＴＰＡ部材５３がその後方への移動の終端に達するときに、それは、そのロック位置に位置される。ラッチ突出部９８は、後部ラッチ受入れ領域６８に位置される。このことは、ＴＰＡ部材５３が、以下に注記される以外は、再度、前方に移動するのを防止する。前端９２の内部表面は、支点７０に位置される。このことは、ＴＰＡ部材５３がロック位置に位置されている間に、前端９２が内方に押圧されるのを防止する。したがって、このことは、前端９２によってラッチレバーに対して加えられているレバー力が、後部ラッチ受入れ領域９８から後端９４を移動するのを防止する。図１１は、ＴＰＡがそのロック位置に移動された後の、コネクタ４０を示している。
【００２１】
いくつかの状況においては、使用者は、ＴＰＡ部材５３を、そのロック位置からそのプレロック位置に移動させることを望むかもしれない。
【００２２】
この場合には、使用者は、方向１０２とは逆の方向にＴＰＡ部材５３を引っ張ることができる。ランプ７２は、ＴＰＡ部材が、軸方向の力のみによって前方に移動され、突出部９８が前面領域６６内に後方に移動することを可能にしながら、後端９４が、外方に撓むことを可能にする。
【００２３】
この発明によって、めす形ハーネスコネクタは、ＴＰＡの一方の側におけるラッチが押下されて、最終ロック位置内に押圧されるようにＴＰＡを開放するまで、ＴＰＡ部品がプレロック位置に確実に保持されるように提供することができる。ＴＰＡにおける側の戦略的に置かれたカットは、柔軟なラッチの特徴を創成することができる。ハウジングの前面における突出部は、プレロック位置にある間、ＴＰＡ側ラッチ用の支点として役立ち、かつ最終ロック位置における間、補強材（reinforcement）をラッチすることができる。コネクタハウジングにおけるＴＰＡ保持デテントの壁の角度は、ＴＰＡが、最終ロック位置から軸方向力のみによってプレロック位置内に引き戻されることができるように製造することができる。しかしながら、プレロック位置からロック位置へのＴＰＡの移動は、ＴＰＡをプレロックから最終ロックに押込むために横方向の力（ラッチを撓めるために）と同様に、軸方向を必要とする。
【００２４】
この発明の利点は、次のものを有する：
＊  ＴＰＡは、組込みおよび動作中、プレロックから最終ロックまでの偶発的移動が防止される；
＊  それほど高価でない、バラの包装オプションを、使用することができる；
＊  全ての特徴は、設計において単純であり、使用するのが簡単で、容易に作ることができる；
＊  この発明は、コネクタの寸法（例えば、コネクタ４０は、コネクタ１６と同じ外形寸法にすることができる）を増加させずに、コネクタ内に組み入れることができる。
【００２５】
代りの実施例において、ＴＰＡサイドラッチは、ハウジングにおける支点なしで作動するために作ることができる。
【００２６】
先の記述は、この発明の単に例証であることが理解されるに違いない。この発明から逸脱することなく技術に熟練している者は、さまざまな代案および修正を考案することができる。したがって、この発明は、追加された請求項の範囲内にあるような代案、修正および相違をすべて包含するように意図される。
【図面の簡単な説明】
【００２７】
【図１】従来の電気接続装置の分解した斜視図である；
【図２】この発明の特徴を具体化する電気コネクタの斜視図である；
【図３】図２において示されているが、電気接点およびＣＰＡを示していない電気コネクタの断面図である；
【図４】図２および３において示される電気コネクタの、分解したが、電気接点を示していない組立図である；
【図５】図２−４において示される主ハウジング部材の斜視図である；
【図６】図２−４において示される主ハウジング部材およびＴＰＡ部材の部分の拡大した断面図である；
【図７】図２−４において示されるＴＰＡ部材の前面の斜視図である；
【図８】図７において示されるＴＰＡ部材の後部の斜視図である；
【図９】ＴＰＡ部材をそのプレロック位置からそのロック位置に移動するためにＴＰＡ部材に加えられた力を示す図２において示される電気コネクタの斜視図である；
【図１０】そのロック位置に移動されるＴＰＡ部材とともに図６において示されるような主ハウジング部材およびＴＰＡ部材の部分の拡大した断面図である；
【図１１】ロック位置に移動したＴＰＡ部材とともに図２および９において示される電気コネクタの斜視図である。
【図１】
2009531829.tif 000003
【図２】
2009531829.tif 000004
【図３】
2009531829.tif 000005
【図４】
2009531829.tif 000006
【図５】
2009531829.tif 000007
【図６】
2009531829.tif 000008
【図７】
2009531829.tif 000009
【図８】
2009531829.tif 000010
【図９】
2009531829.tif 000011
【図１０】
2009531829.tif 000012
【図１１】
2009531829.tif 000013
【国際調査報告】
2009531829.tif 000014